(57)【要約】【課題】  施工が簡単に行え、メンテナンスが不要である制振材固定具を提供する。【解決手段】  制振材固定具は、第１嵌合部21を有する第１固定部材11と、第１嵌合部11と嵌合させられた第２嵌合部23を有する第２固定部材12とによって構成されている。第１固定部材11および第２固定部材12により、レールＲに貼着された制振材Ｓを嵌着可能となされている。【選択図】  図１
2006144409.tif 000002
【特許請求の範囲】
【請求項１】
第１嵌合部を有する第１固定部材と、第１嵌合部と嵌合させられた第２嵌合部を有する第２固定部材とによって構成されており、第１固定部材および第２固定部材により、レールに貼着された制振材を嵌着可能となされていることを特徴とする制振材固定具。
【請求項２】
第１嵌合部および第２嵌合部が、はずれ止め機能を有していることを特徴とする請求項１に記載の制振材固定具。
【請求項３】
第１嵌合部が断面Ｕ字状なしており、第２嵌合部が、第１嵌合部にはめ入れられうる形状をなしていることを特徴とする請求項１または２に記載の制振材固定具。
【請求項４】
レール底部の一方の縁部からレール底部の下面を経てレール底部の他方の縁部に通じる固定部材を有しており、固定部材により、レールに貼着された制振材を嵌着可能となされていることを特徴とする制振材固定具。
【請求項５】
固定部材を構成している材料の弾性変形を利用することを特徴とする請求項４に記載の制振材固定具。
【請求項６】
固定部材を構成している材料の塑性変形を利用することを特徴とする請求項４に記載の制振材固定具。
【請求項７】
固定部材の両端部に、レール底部の両端部にそれぞれ嵌着された断面Ｕ字状嵌着部がそれぞれ設けられていることを特徴とする請求項４〜６のいずれか１つに記載の制振材固定具。
【請求項８】
請求項１〜７のいずれか１つに記載の制振材固定具を使用することを特徴とする制振材固定方法。
【発明の詳細な説明】
【技術分野】
【０００１】
この発明は、例えば、鉄道のレールに貼着されて制振材を固定するための固定具および固定方法に関する。
【背景技術】
【０００２】
実現場のレールに制振材を貼り付ける防音方法の場合、表面状態が劣悪（錆、ほこり）であるため、接着力の低下や施行不良による制振材の脱落の危険があった。これを防止するために固定具が用いられている。固定具は、レールの両側から板状部材を別々にあてがい、これら両板状部材をボルトおよびナットによって締付けるようにしていた（例えば、とつきょ文献１参照。）。
【０００３】
このようなやり方では、施工が煩雑であること、ボルトおよびナットが緩むためにメンテナンスが必要であること等の問題点があった。
【特許文献１】特開平１１−１３２２７３号公報
【発明の開示】
【発明が解決しようとする課題】
【０００４】
この発明の目的は、施工が簡単に行え、メンテナンスが不要である制振材固定具および固定方法を提供することにある。
【課題を解決するための手段】
【０００５】
第１発明による請求項１に記載の制振材固定具は、第１嵌合部を有する第１固定部材と、第１嵌合部と嵌合させられた第２嵌合部を有する第２固定部材とによって構成されており、第１固定部材および第２固定部材により、レールに貼着された制振材を嵌着可能となされていることを特徴とするものである。
【０００６】
第１発明による請求項１に記載の制振材固定具では、第１嵌合部および第２嵌合部を嵌合させるだけの簡単な装置によって、レールに貼着された制振材を嵌着することができる。したがって、施工が簡単に行え、メンテナンスが不要である制振材固定具を提供することができる。
【０００７】
請求項１に記載の制振材固定具において、第１嵌合部および第２嵌合部が、はずれ止め機能を有していることが好ましい。
【０００８】
さらに、請求項１または２に記載の制振材固定具において、第１嵌合部が断面Ｕ字状なしており、第２嵌合部が、第１嵌合部にはめ入れられうる形状をなしていることが好ましい。
【０００９】
請求項１〜３に記載の発明において、制振材の貼合位置は、レールの側面、裏面で特に限定されず、制振材を押さえる位置は制振材の一部に掛かっていれば特に限定しない。固定部材の形状は、棒状、板状等特に限定しない。固定部材の材料は、金属、プラスチック等特に限定しない。固定具は、３以上の固定部材よって構成されていても構わない。
【００１０】
第２発明による請求項４に記載の制振材固定具は、レール底部の一方の縁部からレール底部の下面を経てレール底部の他方の縁部に通じる固定部材を有しており、固定部材により、レールに貼着された制振材を嵌着可能となされていることを特徴とするものである。
【００１１】
第２発明による請求項４に記載の制振材固定具では、単独の固定部材によってレールに貼着された制振材を嵌着することができる。したがって、請求項４に記載の発明によっても、施工が簡単に行え、メンテナンスが不要である制振材固定具を提供することができる。
【００１２】
請求項４に記載の制振材固定具において、固定部材を構成している材料の弾性変形を利用することが好ましい。
【００１３】
また、請求項４に記載の制振材固定具において、固定部材を構成している材料の塑性変形を利用してもよい。
【００１４】
請求項４〜６に記載の制振材固定具において、固定部材の両端部に、レール底部の両端部にそれぞれ嵌着された断面Ｕ字状嵌着部がそれぞれ設けられていることが好ましい。
【００１５】
請求項４〜７に記載の制振材固定具において、制振材の貼合位置は、レールの側面、裏面で特に限定されず、制振材を押さえる位置は制振材の一部に掛かっていれば特に限定しない。固定部材の形状は、棒状、板状等特に限定しない。固定部材の材料は、金属、プラスチック等特に限定しない。
【００１６】
第３発明による請求項８に記載の制振材固定方法は、請求項１〜７のいずれか１つに記載の制振材固定具を使用することを特徴とするものである。
【００１７】
第３発明による請求項８に記載の制振材固定方法によれば、施工が簡単に行え、メンテナンスが不要である制振材固定方法を提供することができる。
【発明の効果】
【００１８】
この発明によれば、施工が簡単に行え、メンテナンスが不要である制振材固定具および固定方法が提供される。
【発明を実施するための最良の形態】
【００１９】
この発明の実施の形態を図面を参照しながらつぎに説明する。
【００２０】
＜実施の形態１＞
実施の形態１は、図１〜図３に示されている。
【００２１】
レールＲは、上から下にかけて順次連なる頭部Ｒｔ、腹部Ｒｗおよび底部Ｒｂよりなる。腹部Ｒｗの左右両側面から底部Ｒｂの上面にかけて左右一対の制振材Ｓがそれぞれ貼着されている。
【００２２】
固定具は、レール底部Ｒｂ下面の全体に被覆させられている第１固定部材11と、レール底部Ｒｂの右縁部に被覆されている逆立ち状の断面Ｌ字状第２固定部材12とによって構成されている。第１固定部材11の右縁部には左向き断面Ｕ字状第１嵌合部21が設けられている。第１固定部材11の左縁部には、レール底部Ｒｂの左縁部を嵌着している逆立ち状の断面逆Ｌ字状嵌着部22が設けられている。第２固定部材12の下端部には、第１嵌合部21と嵌合させられた右方突出平板状第２嵌合部23が設けられている。
【００２３】
固定具の使用に際しては、第１固定部材11をレール底部Ｒｂ下面にあてがうとともに、レール左縁部に嵌着部22を嵌着させる。このときに、第１固定部材11の、第１嵌合部21となるべき部分は、図１中鎖線で示すように、Ｕ字状をなすことなく、第１固定部材11の他の部分を右方に延長するように真っ直ぐにのびている。つぎに、第２固定部材12をレール
底部Ｒｂの右縁部に被覆し、第２嵌合部23を、第１固定部材11の、第１嵌合部21となるべき部分の上に重ね合わせる。そして、第１固定部材11の、第１嵌合部21となるべき部分を上向きに折曲げて第１嵌合部21を形成する。これにより、両嵌合部21、23が嵌合させられる。
【００２４】
図２(a)に示すように、両嵌合部21、23を嵌合した状態で、第１嵌合部21のレール長さ
方向の大きさよりも、第２嵌合部23のそれを大きくしておくと、第２嵌合部23の両端部が第１嵌合部21よりもレール長さ方向にそれぞれ突出させられる。それらの両突出部を下向きに折曲げられることにより、第１嵌合部21および第２嵌合部23に、はずれ止め機能が付与されている。
【００２５】
はずれ止め機能を果たすためには、第２嵌合部23の両端部を突出させることに代えて、図２(b)に示すように、突出部の片側だけを突出させて、その一方の突出部のみを折曲げ
るようにしてもよい。また、図２(c)に示すように、第２嵌合部23の先端部分をレール長
さ方向に対しある角度を持たせるように形成しておき、これにそうように重ね合わせて第１嵌合部21を形成するようにしてもよい。
【００２６】
図３には、変形例による固定具が示されている。この変形例による固定具は、レール底部Ｒｂ下面の右半分に被覆されている第１固定部材31と、レール底部Ｒｂ下面の左半分に被覆されている第２固定部材32とによって構成されている。第１固定部材31の左縁部には右向き断面Ｕ字状第１嵌合部41が設けられている。第１固定部材31の右縁部には、レール底部Ｒｂの右縁部を嵌着している逆立ち状の断面Ｌ字状第１嵌着部42が設けられている。第２固定部材32の右縁部には左向き断面Ｕ字状第２嵌合部43が設けられている。第２固定部材32の左縁部には、レール底部Ｒｂの左縁部を嵌着している逆立ち状の断面逆Ｌ字状第２嵌着部44が設けられている。
【００２７】
この変形例による固定具の使用するには、第１嵌着部42および第２嵌着部44をレール底部Ｒｂの対応部分に嵌着させた後に、図３中鎖線で示すように、第２嵌合部43となるべき部分を、真っ直ぐにのばされた状態からＵ字状に折り曲げて、第１嵌合部41および第２嵌合部43を嵌合させる。
【００２８】
＜実施の形態２＞
実施の形態２は、図４〜図９に示されている。
【００２９】
固定具は、一枚の弾性を有する、バネ材または通常材製板材によって形成された固定部材51によって構成されている。固定部材51の左右両縁部には、レール底部Ｒｂの左右両縁部にそれぞれ嵌着された左右一対の断面Ｕ字状嵌着部52が設けられている。両嵌着部52の上縁部には取手用折返縁部53がそれぞれ設けられている。
【００３０】
この固定具をレールＲに装着するには、図４中鎖線で示すように、両折返縁部53を掴んで両嵌着部52を左右に押し拡げ、レール底部Ｒｂにその下側から被せればよい。
【００３１】
固定部材61を、弾性をもたない塑性変形をする板材で形成する場合、図５に示すように、固定部材61をレール底部Ｒｂの下面にあてがい、固定部材61の両縁部を略Ｕ字状に折曲げて、レール底部Ｒｂの左右両縁部にそれぞれ嵌着された左右一対の断面Ｕ字状嵌着部62を設けるようにすればよい。
【００３２】
上記において、固定部材を以下の変形例のように構成してもよい。図６および図７に示すように、固定部材71の、制振材と当接する部分に鋸刃状部72を設けるように形成しても良い。さらに、図８に示すように、固定部材81の両嵌着部82の上水平部分と、これと相対
する制振材Ｓとの間に、ゴムのような弾性体83を介在させてもよい。さらには、固定部材91を、板材ではなく、図９に示すように、線状バネ材によって形成してもよい。
【図面の簡単な説明】
【００３３】
【図１】この発明の実施の形態１による固定具の断面図である。
【図２】同固定具にはずれ止め機能を付与させた例を示す斜視図である。
【図３】実施の形態１の変形例を示す固定具の断面図である。
【図４】この発明の実施の形態２による固定具の断面図である。
【図５】実施の形態２の変形例を示す固定具の断面図である。
【図６】実施の形態２のさらなる変形例を示す固定具の断面図である。
【図７】図６出示される部分の一部を拡大して示す断面図である。
【図８】実施の形態２のさらなる変形例を示す固定具の断面図である。
【図９】実施の形態２のさらなる変形例を示す固定具の断面図である。
【符号の説明】
【００３４】
11  第１固定部材
12  第２固定部材
21  第１嵌合部
23  第２嵌合部
Ｒ  レール
Ｓ  制振材
【図１】
2006144409.tif 000003
【図２】
2006144409.tif 000004
【図３】
2006144409.tif 000005
【図４】
2006144409.tif 000006
【図５】
2006144409.tif 000007
【図６】
2006144409.tif 000008
【図７】
2006144409.tif 000009
【図８】
2006144409.tif 000010
【図９】
2006144409.tif 000011